(57)【要約】【課題】記録マーク及びスペース部の反射光量の明暗（大小）によってレーザの出射光量が変動するスクープ現象が発生し、なおかつスクープ現象によるレーザの出射光量変動はディスク毎や同一ディスクの半径方向の位置によって異なる場合、レーザ出射光量一定での反射光量のピーク値、ボトム値から求まる本来のβ値からずれてしまい、誤ったパワー補正をおこなう。【解決手段】スクープによる記録マークおよびスペース部でのレーザの出射光量の変動量を算出し、前記変動量を用いて出射光量の変動を補正するスクープ補正係数を算出するスクープ補正手段と、前記スクープ補正係数を用いて、前記ピーク値及びボトム値を補正するピーク値補正手段及びボトム値補正手段と、前記補正されたピーク値及びボトム値を用いてβ値を算出するβ値算出手段を備えたことを特徴とする。【選択図】図１
2005310256.tif 000002
【特許請求の範囲】
【請求項１】
レーザ光を所定の情報に従い変調するとともに記録パワーを制御して記録媒体に照射し、その記録パワーの強弱により前記記録媒体の反射率が変化する記録マーク領域を形成することにより情報を記録し、レーザ出射光を所定の光量になるように制御して情報の再生が行われる情報記録方法において、データの記録開始前に予め記録済み領域の振幅測定から得られるβ値の目標値とβ値に対する記録パワーの変換係数を設定し、データの記録の際は、所定の領域の記録が行われた毎に記録を中断し、前記記録中断の記録終端位置近傍の未記録領域の振幅のピーク値と記録済み領域の振幅のピーク値、ボトム値および平均値を測定し、前記未記録領域の振幅ピーク値と前記記録済み領域の振幅ピーク値から、スクープによる記録スペース部でのレーザの出射光量の変動量を算出し、前記変動量を用いて記録スペース部および記録マーク部の出射光量の変動を補正するスクープ補正係数を算出し、前記スクープ補正係数を用いて前記記録済み領域の振幅ピーク値とボトム値を補正し、前記記録済み領域の平均値と前記補正された記録済み領域の振幅ピーク値とボトム値からβ値を算出し、前記β値の目標値と前記算出されたβ値との差分を算出し、前記β値の差分と前記β値に対するパワー変換係数より記録パワーの補正量を算出し、前記記録中断前の記録パワーに前記記録パワーの補正量を加算した記録パワーで前記記録中断の記録終端位置から記録を再開することを特徴とする情報記録方法。
【請求項２】
請求項１記載の所定の領域の記録が行われた毎の記録中断は、所定のレーザ周囲温度変化によっても記録中断してパワー補正を行うようにすることを特徴とする情報記録方法。
【請求項３】
請求項１記載の記録終端位置近傍の未記録領域の振幅測定は、５トラック以上未記録領域が存在し、前後２トラック以上が未記録領域の１トラック分の平均振幅の測定を行い、記録終端位置近傍の記録済み領域の振幅測定は、同一記録パワーで記録された５トラック以上記録済み領域が存在し、前後２トラック以上が記録済み領域の１トラック分の平均振幅の測定を行うことを特徴とする情報記録方法。
【請求項４】
請求項１記載のβ値の差分とβ値に対するパワー変換係数より記録パワーの補正量を算出する際のβ値の差分は、測定ばらつき抑制のためのローパスフィルタに入力し、フィルタ出力をβ値の差分として用いることを特徴とする情報記録方法。
【請求項５】
請求項１記載のβ値に対する記録パワーの変換係数は、データの記録開始に先立って最適な記録パワーを求めるために記録パワーを可変しながら記録した後、記録パワーとβ値の関係から最適な記録パワーとともに算出することを特徴とする情報記録方法。
【請求項６】
請求項１記載のβ値は、β値と同様に記録済み領域の振幅測定から算出される変調度とすることを特徴とする情報記録方法。
【請求項７】
請求項１記載のβ値は、β値と同様に記録済み領域の振幅測定から算出されるアシンメトリとすることを特徴とする情報記録方法。
【請求項８】
レーザ光を所定の情報に従い変調するとともに記録パワーを制御して記録媒体に照射し、その記録パワーの強弱により前記記録媒体の反射率が変化する記録マーク領域を形成することにより情報を記録し、レーザ出射光を所定の光量になるように制御して情報の再生が行われる情報記録装置において、
レーザの出射光量を検出し、所定のパワー値となるようにレーザの出射光量を制御する出射光量制御手段と、
前記記録媒体からの反射光を受光して反射光量を検出する反射光量検出手段と、
前記反射光量検出手段の検出光量のピーク値を検出するピーク値検出手段と、
前記反射光量検出手段の検出光量のボトム値を検出するボトム値検出手段と、
前記反射光量検出手段の検出光量の平均値を検出する平均値検出手段と、
所定の未記録領域での前記ピーク値検出手段によって検出される未記録領域ピーク値と、所定の記録済み領域での前記ピーク値検出手段によって検出される記録済み領域ピーク値から、スクープによる記録マークおよびスペース部でのレーザの出射光量の変動量を算出し、前記変動量を用いて出射光量の変動を補正するスクープ補正係数を算出するスクープ補正手段と、
前記スクープ補正係数を用いて、前記ピーク値を補正するピーク値補正手段と、
前記スクープ補正係数を用いて、前記ボトム値を補正するボトム値補正手段と、
前記ピーク値補正手段によって補正されたピーク値と、前記ボトム値補正手段によって補正されたボトム値と、前記平均値検出手段によって検出された平均値を用いてβ値を算出するβ値算出手段と、
前記β値算出手段によって算出されたβ値と予め設定された目標β値との差分を算出する目標β値比較手段と、
前記目標β値比較手段によって算出された目標β値との差分により補正パワー値を生成し、前記出射光量制御手段に補正パワー値を出力する補正パワー値生成手段とを備えたことを特徴とする情報記録装置。
【請求項９】
レーザ光を所定の情報に従い変調するとともに記録パワーを制御して記録媒体に照射し、その記録パワーの強弱により前記記録媒体の反射率が変化する記録マーク領域を形成することにより情報を記録し、レーザ出射光を所定の光量になるように制御して情報の再生が行われる情報記録装置において、
レーザの出射光量を検出し、所定のパワー値となるようにレーザの出射光量を制御する出射光量制御手段と、
前記記録媒体からの反射光を受光して反射光量を検出する反射光量検出手段と、
前記反射光量検出手段の検出光量のピーク値を検出するピーク値検出手段と、
前記反射光量検出手段の検出光量のボトム値を検出するボトム値検出手段と、
所定の未記録領域での前記ピーク値検出手段によって検出される未記録領域ピーク値と、所定の記録済み領域での前記ピーク値検出手段によって検出される記録済み領域ピーク値から、スクープによる記録マークおよびスペース部でのレーザの出射光量の変動量を算出し、前記変動量を用いて出射光量の変動を補正するスクープ補正係数を算出するスクープ補正手段と、
前記スクープ補正係数を用いて、前記ピーク値を補正するピーク値補正手段と、
前記スクープ補正係数を用いて、前記ボトム値を補正するボトム値補正手段と、
前記ピーク値補正手段によって補正されたピーク値と、前記ボトム値補正手段によって補正されたボトム値を用いて変調度を算出する変調度算出手段と、
前記変調度算出手段によって算出された変調度と予め設定された目標変調度との差分を算出する目標変調度比較手段と、
前記目標変調度比較手段によって算出された目標変調度との差分により補正パワー値を生成し、前記出射光量制御手段に補正パワー値を出力する補正パワー値生成手段とを備えたことを特徴とする情報記録装置。
【請求項１０】
レーザ光を所定の情報に従い変調するとともに記録パワーを制御して記録媒体に照射し、その記録パワーの強弱により前記記録媒体の反射率が変化する記録マーク領域を形成することにより情報を記録し、レーザ出射光を所定の光量になるように制御して情報の再生が行われる情報記録装置において、
レーザの出射光量を検出し、所定のパワー値となるようにレーザの出射光量を制御する出射光量制御手段と、
前記記録媒体からの反射光を受光して反射光量を検出する反射光量検出手段と、
前記反射光量検出手段の検出光量のピーク値を検出するピーク値検出手段と、
前記反射光量検出手段の検出光量のボトム値を検出するボトム値検出手段と、
前記反射光量検出手段の検出光量の３Ｔマーク部と３Ｔスペース部の振幅を検出する３Ｔ振幅値検出手段と、
所定の未記録領域での前記ピーク値検出手段によって検出される未記録領域ピーク値と、所定の記録済み領域での前記ピーク値検出手段によって検出される記録済み領域ピーク値から、スクープによる記録マークおよびスペース部でのレーザの出射光量の変動量を算出し、前記変動量を用いて出射光量の変動を補正するスクープ補正係数を算出するスクープ補正手段と、
前記スクープ補正係数を用いて、前記ピーク値を補正するピーク値補正手段と、
前記スクープ補正係数を用いて、前記ボトム値を補正するボトム値補正手段と、
前記ピーク値補正手段によって補正されたピーク値と、前記ボトム値補正手段によって補正されたボトム値と、前記３Ｔ振幅値検出手段によって検出された３Ｔマーク部および３Ｔスペース部の振幅値を用いてアシンメトリを算出するアシンメトリ算出手段と、
前記アシンメトリ算出手段によって算出されたアシンメトリと予め設定された目標アシンメトリとの差分を算出する目標アシンメトリ比較手段と、
前記目標アシンメトリ比較手段によって算出された目標アシンメトリ値との差分により補正パワー値を生成し、前記出射光量制御手段に補正パワー値を出力する補正パワー値生成手段とを備えたことを特徴とする情報記録装置。
【発明の詳細な説明】
【技術分野】
【０００１】
本発明は、レーザ光を所定の情報に従い変調するとともに光強度を制御して記録媒体に照射し、その照射光の強弱により前記記録媒体の反射率が変化する記録マーク領域を形成することにより情報を記録する情報記録方法及び情報記録装置に関するものである。
【背景技術】
【０００２】
近年、マルチメディアの普及に伴い、追記型光ディスクのＣＤ−Ｒや書き換え可能なＣＤ−ＲＷが急速に普及し、さらに大容量の追記型光ディスクのＤＶＤ−Ｒや、書き換え可能な光ディスクのＤＶＤ−ＲＷ、ＤＶＤ−ＲＡＭも実用化され普及しはじめている。いずれの光ディスクも情報を記録するために半導体レーザを光源とする光ピックアップ光学系を含む情報記録再生装置が用いられている。これらの情報記録再生装置では記録もしくは再生性能を高め、安定化するために様々な技術開発が行われてきた。その技術の一つに半導体レーザのパワー制御技術があり、たくさんの方式が提案されている。とりわけ、追記型光ディスクでは、データの書き換えができないため、いかに安定した記録状態が持続できるかが重要になってくる。データの記録開始前に、最適なレーザパワーを決定するパワーキャリブレーションを実行することや、データ記録開始後に、記録された領域の再生品位を確認しながら記録パワーを補正することは、記録品位を高め、またディスク全面にわたって記録品位を一定に保つためである。パワーキャリブレーションや記録直後の再生品位を確認するため、記録済み領域からの反射光量から算出されるアシンメトリやβ値、変調度が一般的にしばしば用いられる（例えば、特許文献１参照）。図７は、記録中にβ値を検出しながらパワー補正をおこなう動作を示すフローチャートである。
【０００３】
予め目標β値とβ値に対するパワー補正量を設定し、記録中に記録された領域の反射光量振幅のピーク値とボトム値、平均値を検出し、ピーク値、ボトム値、平均値よりβ値および目標β値との差分を求め、目標β値との差分と既に設定されているβ値に対するパワー補正量からパワー補正量を算出し、記録パワーの変更を行って記録を行う方法である。
【特許文献１】特開２００１−３１２８２２号公報
【発明の開示】
【発明が解決しようとする課題】
【０００４】
解決しようとする問題点は、β値を検出する際に、記録マーク及びスペース部の反射光量の明暗（大小）によってレーザの出射光量が変動するスクープ現象が発生し、なおかつスクープ現象によるレーザの出射光量変動はディスク毎や同一ディスクの半径方向の位置によって異なる場合、レーザ出射光量一定での反射光量のピーク値、ボトム値から求まる本来のβ値からずれてしまい、誤ったパワー補正をおこなうという点である。
【０００５】
図８は、スクープ現象によって反射光量のピーク値とボトム値が変動することを示す図である。図８において、スクープがない場合、レーザ出射光量に変動はない。記録マーク部で出射光量小、スペース部で出射光量大となるようなスクープが発生した場合は、反射光量のピーク値は、出射光量が変動しない場合と比較して大きなレベルになり、ボトム値は出射光量が変動しない場合と比較して小さなレベルになる。また、記録マーク部で出射光量大、スペース部で出射光量小となるようなスクープが発生した場合は、反射光量のピーク値は、出射光量が変動しない比較して小さなレベルになり、ボトム値は出射光量が変動しない比較して大きなレベルになる。いずれにせよスクープが発生した場合、本来のピーク値とボトム値から逸脱し、β値算出の際に誤差となる。
【課題を解決するための手段】
【０００６】
本発明は、β値を測定する際に、β値測定対象位置近傍の未記録領域での反射光量振幅のピーク値と、β値測定対象位置の記録済み領域での反射光量振幅のピーク値より、スクープによるレーザ出射光量変動量を算出し、β値測定対象位置の記録済み領域の反射光量振幅ピーク値とボトム値を出射光量一定時のピーク値とボトム値になるように補正することを最も主要な特徴とする。
【発明の効果】
【０００７】
本発明の情報記録方法および情報記録装置は、記録マーク及びスペース部の反射光量の明暗（大小）によってレーザの出射光量が変動するスクープ現象が発生し、なおかつスクープ現象によるレーザの出射光量変動はディスク毎や同一ディスクの半径方向の位置によって異なった場合でも、スクープによるレーザ出射光量の変動を検出して、常にレーザ出射光量一定時と同じβ値が検出でき、正確なパワー補正が行え、ディスク全面にわたって安定した良好な記録品位を保つことができるという利点がある。
【発明を実施するための最良の形態】
【０００８】
スクープによるレーザ出射光量の変動を検出するという目的を、従来のβ値検出するため反射光量の振幅測定回路を用いることで、新規な測定回路の追加が不要で安価で容易に実現した。
【０００９】
（実施の形態１）
図１は、本発明の実施の形態１の情報記録装置の構成を示すブロック図である。図２に本発明の実施の形態１の情報記録方法の動作を示すフローチャートを示す。
【００１０】
１は、情報の記録再生可能な光ディスクである。２は光ディスク１を回転させるスピンドルモータである。３は、光ディスク１への記録もしくは再生時に所定の光量で発光可能なレーザダイオードである。４は、レーザダイオード３の出射光と光ディスク１からの戻り光を分けるビームスプリッターである。５は、光ディスク１の記録もしくは再生可能な領域にレーザ光を集光する対物レンズである。
【００１１】
６は、レーザダイオード３が出射する光の一部を検出する光量モニター用フォトディテクタである。７は、光量モニター用フォトディテクタ６の電流出力を電圧に変換するＩ／Ｖ変換回路である。８は、Ｉ／Ｖ変換回路７の出力の周波数の帯域を減衰する低域通過フィルタ（ＬＰＦ）である。９は、光量モニター用フォトディテクタ６の電流出力を増幅する電圧増幅器（ＡＭＰ）である。１０は、ＬＰＦ１０８の出力を所定のタイミングでサンプルホールドするサンプルホールド回路（Ｓ／Ｈ）である。１１は、ＡＭＰ９の出力を所定のタイミングサンプルホールドするサンプルホールド回路（Ｓ／Ｈ）である。１２は、Ｓ／Ｈ１０の出力を記録発光の平均パワーとして検出するｍｐ検出器である。１３は、Ｓ／Ｈ１１の出力を記録発光のバイアスパワーとして検出するｓｐ検出器である。１４は、記録発光のピークパワーを制御するピークパワー制御回路である。１５は、記録発光のバイアスパワーを制御するバイアスパワー制御回路である。１６は、レーザダイオード３を、ピークパワー制御回路１４とバイアスパワー制御回路１５とで制御されるパワーで発光させるＬＤ駆動回路である。
【００１２】
６〜１３は、レーザの出射光量を検出し、所定のパワー値となるようにレーザの出射光量を制御する出射光量制御手段の例である。
【００１３】
１７は、光ディスク１からの戻り光を検出する複数個からなる戻り光検出用フォトディテクタである。１８は、複数個からなる戻り光検出用フォトディテクタ１７の各電流出力を電圧に変換する複数個からなるＩ／Ｖ変換回路である。１９は、複数個からＩ／Ｖ変換回路１８の出力を加算するＲＦ加算器である。
【００１４】
１７〜１９は、記録媒体の記録マーク領域からの反射光を受光して反射光量を検出する反射光量検出手段の例である。
【００１５】
２０は、ＲＦ加算器１９の出力のピークレベルを検波するピーク検波回路である。２１は、ピーク検波回路の出力をサンプルホールドしてピーク値を測定するピーク値測定回路である。
【００１６】
２０〜２１は、反射光量のピーク値を検出するピーク値検出手段の例である。
【００１７】
２２は、ＲＦ加算器１９の出力のボトムレベルを検波するボトム検波回路である。２３は、ボトム検波回路の出力をサンプルホールドしてボトム値を測定するボトム値測定回路である。
【００１８】
２２〜２３は、反射光量のボトム値を検出するボトム値検出手段の例である。
【００１９】
２４は、ＲＦ加算器１９の出力の周波数の帯域を減衰させ、ＡＣ成分がほとんどない略ＤＣレベルにする低域通過フィルタ（ＬＰＦ）である。２５は、低域通過フィルタ（ＬＰＦ）２４の出力をサンプルホールドしてＲＦ加算器１９の出力の平均値を測定する平均値測定回路である。
【００２０】
２４〜２５は、反射光量の平均値を検出する平均値検出手段の例である。
【００２１】
２６は、所定の未記録領域でのピーク値測定回路２１によって測定される未記録領域ピーク値と、所定の記録済み領域でのピーク値測定回路２１によって検出される記録済み領域ピーク値から、スクープによる記録マークおよびスペース部でのレーザの出射光量の変動量を算出し、前記変動量を用いて出射光量の変動を補正するスクープ補正係数を算出するスクープ測定回路である。
【００２２】
２７は、スクープ測定回路２６によって算出されたスクープ補正係数を用いて記録済み領域でのピーク値測定回路２１によって測定されたピーク値を補正するピーク値補正回路である。
【００２３】
２８は、スクープ測定回路２６によって算出されたスクープ補正係数を用いて記録済み領域でのボトム値測定回路２３によって測定されたボトム値を補正するボトム値補正回路である。
【００２４】
２９は、ピーク値補正回路２７の出力と、ボトム値補正回路２８の出力と、平均値測定回路２５の出力よりβ値を算出するβ値算出回路である。
【００２５】
３０は、β値算出回路２９によって算出されたβ値と予め設定された目標β値との差分を算出する目標β値比較回路である。
【００２６】
３１は、目標β値比較回路によって算出された目標β値との差分により補正パワー値を生成し、ピークパワー制御回路１４に補正パワー値を出力する補正パワー算出回路である。
【００２７】
次に、このような本発明の実施の形態１の動作を説明する。
【００２８】
データの記録開始前に予め記録済み領域の振幅測定から得られるβ値の目標値を目標β値比較回路３０に設定し、β値に対する記録パワーの変換係数を補正パワー算出回路３１に設定する。
【００２９】
データの記録の際は、所定の領域の記録が行われた毎に記録中断し、前記記録中断の記録終端位置近傍の未記録領域へシークし、未記録領域の振幅のピーク値をピーク値測定回路２１で測定する。次に、記録終端位置近傍の記録済み領域へシークし、記録済み領域の振幅のピーク値、ボトム値および平均値をピーク値測定回路２１、ボトム値測定回路２３、平均値測定回路２５で測定する。次に、前記未記録領域の振幅のピーク値と前記記録済み領域の振幅のピーク値から、スクープによる記録スペース部でのレーザの出射光量の変動量を算出する。
【００３０】
出射光量の変動量算出方法は、まず、予めスクープ測定回路２６に、スクープが発生しない時の、未記録領域での振幅のピーク値に対する、目標β値相当の記録済み領域での振幅のピーク値の比である反射率比γを設定する。反射率比γは、ディスク種類毎、記録速度毎の定数として、情報記録装置内のファームウエア内に格納されている。次に記録終端位置近傍での未記録領域の振幅のピーク値に対する記録済み領域での振幅のピーク値の比をγ’として算出し、前記スクープがない時のγに対するγ’の比をＳ（＝γ’／γ）として算出する。Ｓ値が、記録スペース部での出射光量変動比となる。また記録マーク部での出射光量変動は、記録データが、マークとスペースの出現頻度がほぼ同じになるランダムパターンとなっていると考えられ、またデータのマークおよびスペース長の周期より十分低い帯域で出射光量モニター用フォトダイオード６の出力を用いて再生パワー制御をおこなっていることから、平均出射光量レベル１に対して記録スペース部の出射光量変動分レベルＳ−１を差し引いた量に値する。すなわち記録マーク部の出射光量変動比は、１−（Ｓ−１）となり、式を整理して２−Ｓとなる。
【００３１】
これらの出射光量変動比より、反射光量のピーク値とボトム値を同一出射光量で正規化するためにスクープ測定回路２６は、ピーク値のスクープ補正係数を１／Ｓ、ボトム値のスクープ補正係数を１／（２−Ｓ）を算出する。
【００３２】
次に、ピーク値補正回路２７によって、記録済み領域でのピーク値にピーク値のスクープ補正係数１／Ｓを乗算してピーク値を補正する。同様に記録済み領域でのボトム値にボトム値のスクープ補正係数１／（２−Ｓ）を乗算してボトム値を補正する。
【００３３】
次に、β値算出回路２９によって、前記記録済み領域の平均値と前記補正された記録済み領域の振幅ピーク値とボトム値からβ値を算出し、目標β値比較回路３０によって前記β値の目標値と前記算出されたβ値との差分を算出し、補正パワー算出回路３１によって、前記β値の差分と前記β値に対するパワー変換係数より記録パワーの補正量を算出する。前記記録中断前の記録パワーに前記記録パワーの補正量を加算した記録パワーで前記記録中断の記録終端位置から記録を再開する。
【００３４】
記録終了するまでに、所定の記録単位毎にスクープ補正によるβ値検出を実施し、随時パワー補正を行う。
【００３５】
このように、本発明の実施の形態１によれば、記録マーク及びスペース部の反射光量の明暗（大小）によってレーザの出射光量が変動するスクープ現象が発生し、なおかつスクープ現象によるレーザの出射光量変動はディスク毎や同一ディスクの半径方向の位置によって異なった場合でも、スクープによるレーザ出射光量の変動を検出して、常にレーザ出射光量一定時と同じβ値が検出でき、正確なパワー補正が行え、ディスク全面にわたって安定した良好な記録品位を保つことができる。
【００３６】
また、実施の形態１の記録終端位置近傍の未記録領域の振幅測定は、５トラック以上未記録領域が存在し、前後２トラック以上が未記録領域の１トラック分の平均振幅の測定を行い、記録終端位置近傍の記録済み領域の振幅測定は、同一記録パワーで記録された５トラック以上記録済み領域が存在し、前後２トラック以上が記録済み領域の１トラック分の平均振幅の測定を行うようにすることで、未記録領域および記録済み領域の隣接トラックからのクロストークの影響による振幅変化を軽減でき、また１トラック分の平均振幅測定をすることでディスク周方向の記録感度（パワー）変動を平均化することができ、スクープ補正係数やβ値の算出をより正確に行うことができる。
【００３７】
また、実施の形態１のデータの記録開始前に予め補正パワー算出回路３１に設定するβ値に対する記録パワーの変換係数は、データの記録開始に先立って所定のβ値となるような記録パワーを求めるパワーキャリブレーション動作において、記録パワーを可変しながら記録した後、各記録パワーでのβ値を測定し、所定のβ値近傍におけるβ値の変化量に対する記録パワーの変化量で算出することで、記録パルス幅や、記録速度に依存しな正確なパワー補正量を算出できる。
【００３８】
（実施の形態２）
図３は、本発明の実施の形態２の情報記録方法の動作を示すフローチャートである。
【００３９】
本発明の実施の形態１と異なる点は、所定の記録単位毎以外に所定の温度変化毎にスクープ補正によるβ値検出を実施し、随時パワー補正を行う点である。
このように、本発明の実施の形態２によれば、記録マーク及びスペース部の反射光量の明暗（大小）によってレーザの出射光量が変動するスクープ現象が発生し、なおかつスクープ現象によるレーザの出射光量変動はディスク毎や同一ディスクの半径方向の位置によって異なった場合でも、またレーザ周囲温度変化によって最適な記録パワーが変化した場合でも、スクープによるレーザ出射光量の変動を検出して、常にレーザ出射光量一定時と同じβ値が検出でき、正確なパワー補正が行え、ディスク全面にわたって安定した良好な記録品位を保つことができる。
【００４０】
（実施の形態３）
図４は、本発明の実施の形態３の情報記録装置の構成を示すブロック図である。
【００４１】
本発明の実施の形態１と異なる点は、目標β値比較回路３０によってβ値の目標値と算出されたβ値との差分を算出した後、前記差分を検出ばらつき抑制のためのＬＰＦ３２を通過させ、補正パワー算出回路３１によって、前記ＬＰＦ３２の出力のβ値の差分と前記β値に対するパワー変換係数より記録パワーの補正量を算出する点である。
【００４２】
このように、本発明の実施の形態３によれば、ピーク値、ボトム値、平均値の測定の際に、測定ばらつきが大きく生じた場合でも、測定ばらつきを抑制しながら緩やかに記録パワーの補正が行うことができ、ディスク全面にわたって、β値測定ばらつきによる急激な記録パワー変動を抑制することができ、安定した良好な記録品位を保つことができる。
【００４３】
（実施の形態４）
図５は、本発明の実施の形態４の情報記録装置の構成を示すブロック図である。
【００４４】
本発明の実施の形態１と異なる点は、β値を変調度に置き換えた点である。変調度はβ値同様に記録パワーに対して変化するパラメータである。変調度は、記録済みの反射光量のピーク値に対するピーク値からボトム値を差し引いた値の比を示すものである。ディスクの記録膜材料の違いによっては、パワーに対するβ値の変化量より変調度の変化量が大きいものもあり、β値より変調度を検出してパワー補正を行う方が有効な場合もある。図５において、変調度算出回路３３によって、記録済み領域のスクープ補正された記録済み領域の振幅ピーク値とボトム値から変調度を算出し、目標変調度比較回路３４によって前記変調度の目標値と前記算出された変調度との差分を算出し、補正パワー算出回路３１によって、前記変調度の差分と変調度に対するパワー変換係数より記録パワーの補正量を算出する。本発明の実施の形態１と同様に、記録中断前の記録パワーに前記記録パワーの補正量を加算した記録パワーで記録中断の記録終端位置から記録を再開し、記録終了するまでに、所定の記録単位毎にスクープ補正による変調度検出を実施し、随時パワー補正を行う。
【００４５】
このように、本発明の実施の形態４によれば、記録マーク及びスペース部の反射光量の明暗（大小）によってレーザの出射光量が変動するスクープ現象が発生し、なおかつスクープ現象によるレーザの出射光量変動はディスク毎や同一ディスクの半径方向の位置によって異なった場合でも、スクープによるレーザ出射光量の変動を検出して、常にレーザ出射光量一定時と同じ変調度が検出でき、正確なパワー補正が行え、ディスク全面にわたって安定した良好な記録品位を保つことができる。
【００４６】
（実施の形態５）
図６は、本発明の実施の形態５の情報記録装置の構成を示すブロック図である。
【００４７】
本発明の実施の形態１と異なる点は、β値をアシンメトリに置き換えた点である。アシンメトリαは、３Ｔスペース部のピークレベルをｈ、３Ｔマーク部のボトムレベルをｌ、反射光量振幅のピークレベルをｐ、反射光量振幅のボトムレベルをｂとした時に、
α＝（（ｐ＋ｂ）／２−（ｈ＋ｌ）／２）／（ｐ−ｂ）
であらわされる。
【００４８】
アシンメトリはβ値同様に記録パワーに対して変化するパラメータである。
【００４９】
図６において、３Ｔ振幅測定回路３５は、３Ｔスペース部のピーク値と３Ｔマーク部のボトム値を測定し、アシンメトリ算出回路３６によって、記録済み領域のスクープ補正された記録済み領域の振幅ピーク値とボトム値と前記３Ｔスペース部ピーク値と前記３Ｔマーク部ボトム値からアシンメトリを算出し、目標アシンメトリ比較回路３７によって前記アシンメトリの目標値と前記算出されたアシンメトリとの差分を算出し、補正パワー算出回路３１によって、前記アシンメトリの差分とアシンメトリに対するパワー変換係数より記録パワーの補正量を算出する。本発明の実施の形態１と同様に、記録中断前の記録パワーに前記記録パワーの補正量を加算した記録パワーで記録中断の記録終端位置から記録を再開し、記録終了するまでに、所定の記録単位毎にスクープ補正によるアシンメトリ検出を実施し、随時パワー補正を行う。
【００５０】
このように、本発明の実施の形態５によれば、記録マーク及びスペース部の反射光量の明暗（大小）によってレーザの出射光量が変動するスクープ現象が発生し、なおかつスクープ現象によるレーザの出射光量変動はディスク毎や同一ディスクの半径方向の位置によって異なった場合でも、スクープによるレーザ出射光量の変動を検出して、常にレーザ出射光量一定時と同じアシンメトリが検出でき、正確なパワー補正が行え、ディスク全面にわたって安定した良好な記録品位を保つことができる。
【００５１】
なお、実施の形態２、３のβ値を変調度もしくはアシンメトリに置き換えても、実施の形態２および３と同様な効果が得られる。
【産業上の利用可能性】
【００５２】
本発明にかかる情報記録方法および情報記録装置は、スクープによるレーザ出射光量変動量を算出し、β値測定対象位置の記録済み領域の反射光量振幅ピーク値とボトム値を出射光量一定時のピーク値とボトム値になるように補正することによって、常にレーザ出射光量一定時と同じβ値が検出でき、正確なパワー補正が行え、ディスク全面にわたって安定した良好な記録品位を保つことが不可欠な用途にも適用できる。
【図面の簡単な説明】
【００５３】
【図１】本発明の実施の形態１における情報記録装置の構成を示すブロック図
【図２】本発明の実施の形態１における情報記録方法の動作を示すフローチャート
【図３】本発明の実施の形態２における情報記録方法の動作を示すフローチャート
【図４】本発明の実施の形態３における情報記録装置の構成を示すブロック図
【図５】本発明の実施の形態４における情報記録装置の構成を示すブロック図
【図６】本発明の実施の形態５における情報記録装置の構成を示すブロック図
【図７】従来の情報記録方法の動作を示すフローチャート
【図８】スクープ現象によって反射光量のピーク値とボトム値が変動することを示した図
【符号の説明】
【００５４】
１    光ディスク
２    スピンドルモータ
３    レーザダイオード
４    ビームスプリッター
５    対物レンズ
６    光量モニター用フォトディテクタ
７    Ｉ／Ｖ変換回路
８    ＬＰＦ
９    ＡＭＰ
１０    Ｓ／Ｈ
１１    Ｓ／Ｈ
１２    ｍｐ検出器
１３    ｓｐ検出器
１４    ピークパワー制御回路
１５    バイアスパワー制御回路
１６    ＬＤ駆動回路
１７    戻り光検出用フォトディテクタ
１８    Ｉ／Ｖ変換回路
１９    ＲＦ加算器
２０    ピーク検波回路
２１    ピーク値測定回路
２２    ボトム検波回路
２３    ボトム値測定回路
２４    ＬＰＦ
２５    平均値測定回路
２６    スクープ測定回路
２７    ピーク値補正回路
２８    ボトム値補正回路
２９    β値算出回路
３０    目標β値比較回路
３１    補正パワー算出回路
３２    ばらつき抑制ＬＰＦ
３３    変調度算出回路
３４    目標変調度比較回路
３５    ３Ｔ振幅測定回路
３６    アシンメトリ算出回路
３７    目標アシンメトリ比較回路
【図１】
2005310256.tif 000003
【図２】
2005310256.tif 000004
【図３】
2005310256.tif 000005
【図４】
2005310256.tif 000006
【図５】
2005310256.tif 000007
【図６】
2005310256.tif 000008
【図７】
2005310256.tif 000009
【図８】
2005310256.tif 000010